(57)【要約】【課題】ねじ止めに十分な面積を確保でき、かつ、ねじ止め位置が異なっても部品点数の増加を抑えること。【解決手段】基板部に設けられるねじ部を有し、ねじ部がフレーム部材に形成された第１の凹部に挿着されるねじ部材、フレーム部材及び画像表示装置。ねじ部材４は、基板部４ａにねじ部４ｅに隣接させて設けられ、第１の凹部に近接させて形成された第２の凹部に圧入される脚部４ｃを有する。ねじ部４ｅは、基板部４ａの基準位置Ｐに対して中心Ｃが板面内で偏心させて設けられている。【選択図】      図２
2004233849.tif 000002
【特許請求の範囲】
【請求項１】
基板部に設けられるねじ部を有し、該ねじ部がフレーム部材に形成された第１の凹部に挿着されるねじ部材であって、
前記基板部に前記ねじ部に隣接させて設けられ、前記第１の凹部に近接させて形成された第２の凹部に圧入される脚部を有することを特徴とするねじ部材。
【請求項２】
基板部に設けられるねじ部を有し、該ねじ部がフレーム部材に形成された第１の凹部に挿着されるねじ部材であって、
前記ねじ部は、前記基板部の基準位置に対して中心が板面内で偏心させて設けられていることを特徴とするねじ部材。
【請求項３】
基板部に設けられるねじ部を有し、該ねじ部がフレーム部材に形成された第１の凹部に挿着されるねじ部材であって、
前記基板部に前記ねじ部に隣接させて設けられ、前記第１の凹部に近接させて形成された第２の凹部に圧入される脚部を有し、
前記ねじ部は、中心が前記基板部の基準位置に対して板面内で偏心させて設けられていることを特徴とするねじ部材。
【請求項４】
前記ねじ部は、円筒形に成形され、内周にめねじが設けられていることを特徴とする請求項１〜３のいずれか一つに記載のねじ部材。
【請求項５】
前記脚部は、前記基板部の外縁に比べて圧入方向に対して直交する方向における幅が小さいことを特徴とする請求項１〜４のいずれか一つに記載のねじ部材。
【請求項６】
前記脚部は、前記ねじ部の外直径に比べて圧入方向に対して直交する方向における幅が小さいことを特徴とする請求項４に記載のねじ部材。
【請求項７】
前記基板部は、前記ねじ部の偏心方向を示す突部が設けられていることを特徴とする請求項２〜６のいずれか一つに記載のねじ部材。
【請求項８】
前記脚部は、前記基板部の中心を基準として点対称に複数設けられていることを特徴とする請求項１〜７のいずれか一つに記載のねじ部材。
【請求項９】
画像表示パネルを支持するフレーム部材であって、外周に第１の凹部と第２の凹部が形成され、前記第１の凹部に前記ねじ部を、前記第２の凹部に前記脚部を、それぞれ配置して請求項１〜８のいずれか一つに記載のねじ部材が挿着されていることを特徴とするフレーム部材。
【請求項１０】
請求項９のフレーム部材と、
画像表示パネルと、
前記フレーム部材の外周に請求項１〜８のいずれか一つに記載のねじ部材を利用してねじ止めされる補強部材と、
を備えたことを特徴とする画像表示装置。
【発明の詳細な説明】
【０００１】
【発明の属する技術分野】
この発明は、画像表示パネルを支持するフレーム部材に形成された凹部に挿着されるねじ部材、フレーム部材及び画像表示装置に関するものである。
【０００２】
【従来の技術】
従来、画像表示装置、例えば、液晶表示装置の組立においては、薄形化の要求に基づき、液晶パネルを支持するフレーム部材外周の適宜個所をねじ部材で挟持すると共に、このねじ部材を介してベゼル等の補強部材を配置し、側部から補強部材をねじ部材にねじ止めするサイドマウント方式が採用されている（例えば、特許文献１参照。）。
【０００３】
【特許文献１】
特開２００１−３５６３２１号公報（第３頁、図２）
【０００４】
【発明が解決しようとする課題】
しかし、画像表示装置における更なる薄形化の要求により、特許文献１に記載された画像表示装置では、ねじ止めに十分な面積の結合部（ねじ部）をねじ部材やフレーム部材に確保することができなくなるという問題があった。
【０００５】
一方、画像表示装置においては、画面のサイズが同一であっても、ベゼル等の補強部材をフレーム部材外周にねじ止めする際の位置がユーザーの仕様によって微妙に異なっている。このため、画像表示装置のメーカーにおいては、画面サイズが同一である画像表示装置について、ねじ止め位置が異なるベゼルやフレーム部材をユーザー毎に用意しなければならず、製造コストを低減するうえでの障害となっていた。
【０００６】
この発明は、上述した従来技術による問題点に鑑みてなされたものであって、ねじ止めに十分な面積を確保でき、かつ、ねじ止め位置が異なっても部品点数の増加を抑えることが可能なねじ部材、フレーム部材及び画像表示装置を提供することを目的とする。
【０００７】
【課題を解決するための手段】
上記目的を達成するため、請求項１に係るねじ部材は、基板部に設けられるねじ部を有し、該ねじ部がフレーム部材に形成された第１の凹部に挿着されるねじ部材であって、前記基板部に前記ねじ部に隣接させて設けられ、前記第１の凹部に近接させて形成された第２の凹部に圧入される脚部を有することを特徴とする。
【０００８】
また、上記目的を達成するため、請求項２に係るねじ部材は、基板部に設けられるねじ部を有し、該ねじ部がフレーム部材に形成された第１の凹部に挿着されるねじ部材であって、前記ねじ部は、前記基板部の基準位置に対して中心が板面内で偏心させて設けられていることを特徴とする。
【０００９】
また、上記目的を達成するため、請求項３に係るねじ部材は、基板部に設けられるねじ部を有し、該ねじ部がフレーム部材に形成された第１の凹部に挿着されるねじ部材であって、前記基板部に前記ねじ部に隣接させて設けられ、前記第１の凹部に近接させて形成された第２の凹部に圧入される脚部を有し、前記ねじ部は、中心が前記基板部の基準位置に対して板面内で偏心させて設けられていることを特徴とする。
【００１０】
請求項１〜３の発明によれば、フレーム部材の凹部に取り付けたねじ部材のねじ部を利用して補強部材をねじ止めするようにしている。
【００１１】
また、請求項４に係るねじ部材は、上記の発明において、前記ねじ部は、円筒形に成形され、内周にめねじが設けられていることを特徴とする。
【００１２】
また、請求項５に係るねじ部材は、上記の発明において、前記脚部は、前記基板部の外縁に比べて圧入方向に対して直交する方向における幅が小さいことを特徴とする。
【００１３】
また、請求項６に係るねじ部材は、上記の発明において、前記脚部は、前記ねじ部の外直径に比べて圧入方向に対して直交する方向における幅が小さいことを特徴とする。
【００１４】
また、請求項７に係るねじ部材は、上記の発明において、前記基板部は、前記ねじ部の偏心方向を示す突部が設けられていることを特徴とする。
【００１５】
また、請求項８に係るねじ部材は、上記の発明において、前記脚部は、前記基板部の中心を基準として点対称に複数設けられていることを特徴とする。
【００１６】
また、請求項９に係るフレーム部材は、画像表示パネルを支持するフレーム部材であって、外周に第１の凹部と第２の凹部が形成され、前記第１の凹部に前記ねじ部を、前記第２の凹部に前記脚部を、それぞれ配置して前記ねじ部材が挿着されていることを特徴とする。
【００１７】
また、請求項１０に係る画像表示装置は、前記フレーム部材と、画像表示パネルと、前記フレーム部材の外周に前記ねじ部材を利用してねじ止めされる補強部材とを備えたことを特徴とする。
【００１８】
【発明の実施の形態】
以下、図面を参照して、この発明に係るねじ部材、フレーム部材及び画像表示装置の好適な実施の形態について説明する。
【００１９】
（実施の形態１）
まず、この発明の実施の形態１として、この発明のねじ部材について説明する。図１は、この発明の実施の形態１に係るねじ部材を示す左半断面正面図である。図２は、図１に示したねじ部材の平面図である。図３は、図１に示したねじ部材の右側面図である。ねじ部材４は、ステンレス（ＳＵＳ３０４）等の金属板から成形され、図１〜図３に示すように、基板部４ａの両側に脚部４ｃが、脚部４ｃの間にねじ部４ｅが、それぞれ基板部４ａに対して垂直に設けられている。基板部４ａは、略矩形状の部分で、長辺の一方に円弧状に突出する突縁４ｂが一体に設けられている。脚部４ｃは、後述するようにねじ部４ｅの中心Ｃを偏心させる際の基準位置となり、図１に示すように、幅方向中央に上部を外方へ突出させた係止片４ｄが設けられている。ねじ部４ｅは、バーリング加工によって基板部４ａの中央に設けられる円筒形に成形された部分で、内周には、めねじ４ｆが設けられている。
【００２０】
このとき、脚部４ｃは、図２及び図３に示すように、基板部４ａの外縁に比べて図２に矢印Ｙで示す方向における幅を小さく形成する。ねじ部材４おいては、脚部４ｃは、ねじ部４ｅの外直径に比べて矢印Ｙで示す方向における幅を小さく形成した。このため、ねじ部材４は、後述するフレーム３に少なくとも脚部４ｃを圧入する第２凹部３ｃ２を確保することができれば、フレーム３が薄くても確実にフレーム３に取り付けることができ、ねじ止めに必要な面積を十分に確保することができる。
【００２１】
また、ねじ部４ｅは、図２に示すように、中心Ｃが脚部４ｃに対して基板部４ａの板面内で幅方向（図中矢印Ｙ方向）へ僅かに偏心させて設けられている。このときの偏心量Ｅは、図２に示すように、両側の脚部４ｃを２辺とする四角形の対角線の交点Ｐを基準とすると、中心Ｃと交点Ｐとの距離となる。ねじ部材４は、ねじ部４ｅの中心Ｃを基板部４ａの板面内で偏心させることにより、後述するフレーム３に対して突縁４ｂの位置を上側或いは下側にして取り付けることで、２通りのねじ止め位置を実現することができる。このとき、ねじ部材４は、ねじ部４ｅの偏心方向を突縁４ｂの突出方向によって明示している。
【００２２】
（実施の形態２）
次に、この発明の実施の形態２として、この発明のフレーム部材について説明する。図４は、この発明の実施の形態２に係るフレーム部材を示すもので、実施の形態１に係るねじ部材４を取り付けるフレーム部材の斜視図である。フレーム部材３は、合成樹脂からなる長辺３ａの両側に短辺３ｂが設けられた枠体で、図４に示すように、短辺３ｂの外周にはねじ部材４を挿着する凹部３ｃが適宜個所に設けられている。
【００２３】
凹部３ｃは、図５に示すように、下部がフレーム部材３の裏面側と繋がる第１凹部３ｃ１と、短辺３ｂの長手方向に沿って所定間隔を置いて設けられるスリット状の第２凹部３ｃ２とを有している。第１凹部３ｃ１は、ねじ部材４のねじ部４ｅを挿着する部分で、周囲にねじ部材４における基板部４ａの厚さに相当し、基板部４ａを配置する窪み部３ｅ１と窪み部３ｅ２が形成されている。窪み部３ｅ１は、突縁４ｂの位置を上側にしてねじ部材４を凹部３ｃに挿着することが可能なように、図５に示すように、突縁４ｂの形状に合わせて上側が円弧状に形成されている。また、第２凹部３ｃ２は、脚部４ｃを圧入してねじ部材４をフレーム３の凹部３ｃに保持する部分である。一方、短辺３ｂは、図４に示すように、内側にフランジ３ｆが長手方向に沿って形成されている。
【００２４】
ここで、ねじ部材４は、各脚部４ｃを対応する第２凹部３ｃ２に圧入することによって、ねじ部材４を凹部３ｃに確実に保持しておくことができれば、係止片４ｄは形成しなくてもよく、脚部４ｃは１つであってもよい。
【００２５】
上記のように構成されるフレーム部材３は、図５において、各脚部４ｃを第２凹部３ｃ２に圧入し、ねじ部４ｅを第１凹部３ｃ１に挿着して、ねじ部材４が取り付けられる。このとき、ねじ部材４は、突縁４ｂを上側に向けて凹部３ｃへ挿着すると、図５に示す交点Ｐを基準として、ねじ部４ｅの中心Ｃ１が上側に存在することになる。これに対し、ねじ部材４は、突縁４ｂを下側に向けて凹部３ｃへ挿着すると、図５に示す交点Ｐを基準として、ねじ部４ｅの中心Ｃ２が下側に存在することになる。従って、図５から明らかなように、フレーム部材３は、突縁４ｂを上側に向けるかあるいは下側に向けるかによって、ねじ部４ｅの中心Ｃの位置が偏心量Ｅの２倍、即ち、２Ｅだけ上下方向（図５において矢印Ｙ方向）にずらすことができる。
【００２６】
このとき、第１凹部３ｃ１は、下部がフレーム部材３の裏面側へ繋がっている。このため、突縁４ｂの位置を下側に向けてねじ部材４を凹部３ｃへ挿着すると、フレーム部材３は、突縁４ｂやねじ部４ｅがフレーム部材３から下側へ僅かに突出するが、各脚部４ｃがフレーム部材３の対応する第２凹部３ｃ２に圧入されるため、確実に凹部３ｃへ挿着される。また、ねじ部材４は、図２及び図３に示すように、基板部４ａの外縁に比べて図２に矢印Ｙで示す方向における脚部４ｃの幅が小さく形成されている。このため、フレーム部材３の厚さが薄く、フレーム３自体ではねじ止め用のねじ穴を確保することができない場合であっても、フレーム部材３は、第２凹部３ｃ２によって脚部４ｃ、従ってねじ部材４を保持することができ、フレーム部材３の厚みを超えるねじ穴をねじ部材４によって確保することができる。
【００２７】
以上のように、フレーム部材３は、薄形化しても、脚部４ｃを圧入する第２凹部３ｃ２を確保できれば、ねじ部材４を凹部３ｃに挿着することができるので、ねじ部材４によってねじ止めに必要な十分な面積を確保することができる。しかも、フレーム部材３は、ねじ部材４の取付け方向を変えることによって、１つの部品でありながら、２通りのねじ止め位置を実現することができる。従って、フレーム部材３においては、ねじ止め位置が異なるフレーム部材を複数種類用意する必要がなく、部品点数の増加を抑えることができると共に、ねじ止め位置が異なるフレーム部材毎に高価な金型を用意する必要がないので、製造コストを低減することができる。
【００２８】
（実施の形態３）
次に、この発明の実施の形態３として、この発明の画像表示装置について説明する。図６は、この発明の実施の形態３に係る画像表示装置として、液晶表示パネルを用いた液晶表示装置を示す分解斜視図である。液晶表示装置１は、図６に示すように、回路基板２、フレーム部材３、ねじ部材４、バックライトユニット５、液晶セルアセンブリ６及びベゼル７を備えている。
【００２９】
回路基板２は、ドレイン回路，ゲート回路及びインターフェイス回路等が設けられ、バックライトユニット５の裏面側に配置されて液晶セルアセンブリ６と電気的に接続されている。
【００３０】
バックライトユニット５は、液晶セルアセンブリ６に対して面状光を垂直に照射するもので、図示しない光源，反射板，導光板，拡散板等を有している。バックライトユニット５は、光源である蛍光ランプから出射された光を、底部に設けられた反射板で反射し、導光板および拡散板を通過させて面状光とし、この面状光を液晶セルアセンブリ６に入力させる。
【００３１】
液晶セルアセンブリ６は、液晶表示セルやバックライトユニット５側に配置される遮光スペーサ等を一体に重ねたものである。
【００３２】
ベゼル７は、フレーム部材３に支持されたバックライトユニット５及び液晶セルアセンブリ６をフレーム部材３に固定する矩形の枠体からなる補強部材であり、ステンレス（ＳＵＳ３０４）等の金属板によって、断面がＬ字形に形成されている。ベゼル７は、図６に示すように、フレーム部材３に形成された凹部３ｃと対応する位置にねじ孔７ａが形成されている。このとき、ねじ孔７ａは、図７に示すように、フレーム部材３の凹部３ｃへねじ部材４を挿着する場合におけるねじ部４ｅの中心Ｃの偏心量Ｅを考慮して予め厚さ方向に僅かに長い長孔に形成されている。ここで、図７に示す液晶表示装置１においては、フレーム部材３は凹部３ａに挿着されるねじ部材４が省略されていることに留意する必要がある。
【００３３】
このように、液晶表示装置１は、実施の形態１，２に係るねじ部材４及びフレーム部材３を用いている。このため、液晶表示装置１は、同一の構成部品を使用していながら、ねじ止め位置を２通りに変更することができ、突縁４ｂの位置を、図５において上側に配置してねじ部材４を凹部３ｃへ挿着した場合と、下側に配置してねじ部材４を凹部３ｃへ挿着した場合とで、ねじ部４ｅの中心Ｃの位置を偏心量Ｅの２倍、即ち、２Ｅだけ上下方向（図５の矢印Ｙ方向）にずらすことができる。
【００３４】
このため、フレーム部材３は、ねじ部材４の取付け方を変えることによって、２通りのねじ止め位置を実現することができるうえ、液晶表示装置１が薄くなったとしても、ねじ部材４を介してベゼル７をフレーム部材３に固定するので、ねじ部材４によってねじ止めに必要な面積を十分に確保することができる。しかも、液晶表示装置１は、フレーム部材３とねじ部材４とを使用することで２通りのねじ止め位置を実現できるので、ねじ止め位置が異なるフレーム部材を２種類用意する必要がなく、部品点数の増加を抑えることができる。更に、液晶表示装置１は、ねじ止め位置が異なっても、複数種類のフレーム部材毎に高価な金型を用意する必要がないので、フレーム部材を安価に製造することができ、製造コストを低減することができる。
【００３５】
（変形例１）
次に、実施の形態１，２に係るねじ部材及びフレーム部材の変形例１について説明する。図８は、変形例１に係るねじ部材を示す斜視図である。図９は、変形例１に係るフレーム部材を示す斜視図である。図１０は、変形例１に係るフレーム部材を示す正面図である。変形例１に係るねじ部材１１は、基板部１１ａが正方形に成形されると共に、脚部１１ｃを基板部１１ａに対して垂直であって、基板部１１ａの各辺と対応する位置に、基板部１１ａの中心Ｐを基準として点対称に設けられると共に、ねじ部１１ｅの中心Ｃを基板部１１ａの中心Ｐを基準として図中矢印Ｘ，Ｙ方向の任意の方向へ偏心させて設けられている。このとき、ねじ部１１ｅは、ねじ部材４と同様に、内周にめねじ１１ｆが設けられている。
【００３６】
一方、ねじ部材１１を上記のように構成したことにより、フレーム部材３の短辺３ｂに設けられる凹部３ｃは、図９及び図１０に示すように、ねじ部１１ｅを配置する第１凹部３ｃ１を正面から見て正方形に形成すると共に、第２凹部３ｃ２を４つの脚部１１ｃに対応させて基板部１１ａに対応した正方形の辺上に設ける。このとき、第１凹部３ｃ１は、後述するように基板部１１ａを回転させてねじ部材１１を凹部３ｃに挿着することを考慮してどの回転位置であってもねじ部１１ｅを配置できる大きさとするため正方形としたが、ねじ部１１ｅを配置できれば特に形状に限定はない。また、第１凹部３ｃ１の上部には、周囲にねじ部材１１における基板部１１ａの厚さに相当し、基板部１１ａを配置する窪み部３ｅが形成されている。
【００３７】
従って、ねじ部材１１及びフレーム部材３は、基板部１１ａを９０°ずつ回転させて各脚部１１ｃをフレーム部材３の対応する第２凹部３ｃ２に圧入すると共に、ねじ部１１ｅを第１凹部３ｃ１に配置してフレーム部材３の凹部３ｃに挿着することで、４通りのねじ止め位置を実現することができる。
【００３８】
以上より、ねじ部材は、基板部の形状を正五角形以上の正多角形とし、正多角形の各頂点に基板部の中心に対して点対象となる脚部を垂直に設けると共に、基板部の中心に対してねじ部の中心を偏心させて設けてもよい。この場合、フレーム部材は、ねじ部を配置し得る形状に第１凹部を形成すると共に、第２凹部を各脚部の位置に対応させて設ける。このように構成すると、ねじ部材とフレーム部材は、ねじ部材を所定角度ずつ回転させて凹部に挿着させることで、更に多くのねじ止め位置を実現することができる。
【００３９】
（変形例２）
次に、実施の形態１，２に係るねじ部材及びフレーム部材の変形例２について説明する。図１１は、変形例２に係るねじ部材を示す斜視図である。図１２は、変形例２に係るフレーム部材を示す正面図である。変形例２に係るねじ部材１３は、図１１に示すように、基板部１３ａが円形に成形されると共に、基板部１３ａに周方向に沿って等間隔に８本の脚部１３ｃがピン状に立設されると共に、ねじ部１３ｅの中心Ｃが、基板部１３ａの中心Ｐに対して図中矢印Ｘ，Ｙ方向の任意の方向へ偏心させて設けられている。このとき、ねじ部１３ｅは、ねじ部材４と同様に、内周にめねじ１３ｆが設けられている。
【００４０】
一方、フレーム部材３は、図１２に示すように、短辺３ｂに設けられる凹部３ｃのうち、ねじ部１１ｅを配置する第１凹部３ｃ１を正面から見て円形に形成し、脚部１３ｃを圧入する第２凹部３ｃ２を複数のピン穴とする。また、第１凹部３ｃ１の上部には、周囲にねじ部材１３における基板部１３ａの厚さに相当し、基板部１３ａを配置する窪み部３ｅが形成されている。このとき、第１凹部３ｃ１は、後述するように基板部１３ａを回転させてねじ部材１３を凹部３ｃに挿着することを考慮し、どの回転位置であってもねじ部１３ｅを配置できる大きさとするため円形としたが、ねじ部１３ｅを配置できれば特に形状に限定はない。
【００４１】
従って、ねじ部材１３及びフレーム部材３は、ねじ部１３ｅを第１凹部３ｃ１に配置してフレーム部材３の凹部３ｃに挿着する際に、基板部１３ａを４５°ずつ回転させて各脚部１３ｃをフレーム部材３の対応する第２凹部３ｃ２に圧入することにより、８通りのねじ止め位置を実現することができる。このことから、ねじ部材１３は、基板部１３ａを正多角形とし、複数の脚部１３ｃを基板部１３ａの中心に対して点対称となる正多角形の頂点上に配置し、フレーム部材３は、第２凹部３ｃ２を脚部１３ｃに対応させて設けることにより、更に多くのねじ止め位置を実現することができる。
【００４２】
ここで、ねじ部材４は、脚部４ｃを基準としてねじ部４ｅの中心Ｃを圧入方向に対して直交する基板部４ａの幅方向（図２において矢印Ｙ方向）へ僅かに偏心させた。しかし、ねじ部材４は、ねじ部４ｅの中心Ｃを図２において矢印Ｙに対して直交する方向へ偏心させ、フレーム部材３の凹部３ｃをこれに対応させて９０°回転させてもよい。ねじ部４ｅの中心Ｃを上記のように偏心させ、フレーム部材３の凹部３ｃを上記のように形成すると、フレーム部材３は、ねじ部材４の取付け方を変えることによって、ねじ部４ｅの中心Ｃをフレーム部材３の長手方向に沿って偏心量Ｅの２倍だけずらすことができる。
【００４３】
なお、実施の形態１〜３は、ねじ部材を挿着したフレーム部材を用いる画像表示装置として液晶表示パネルを用いた液晶表示装置の場合について説明したが、本発明のねじ部材を挿着するフレーム部材並びにこのフレーム部材を用いる画像表示装置は、フラットパネルディスプレイであれば、エレクトロルミネセンス（ＥＬ）表示装置、プラズマ表示装置等であってもよい。
【００４４】
【発明の効果】
以上説明したように、この発明によれば、基板部に設けられるねじ部を有し、該ねじ部がフレーム部材に形成された第１の凹部に挿着されるねじ部材であって、前記基板部に前記ねじ部に隣接させて設けられ、前記第１の凹部に近接させて形成された第２の凹部に圧入される脚部を有することを特徴とし、前記ねじ部は、前記基板部の基準位置に対して中心が板面内で偏心させて設けられていることを特徴とするので、ねじ部材は、フレーム部材に脚部を圧入する第２の凹部を確保することができれば、フレーム部材が薄くても、ねじ止めに十分な面積を確保することができる。また、ねじ部材は、基板部の基準位置に対して中心が板面内で偏心させて設けられているので、凹部へ挿着する方向を変えることによって、１つの部材で複数のねじ止め位置を実現することができるので、部品点数の増加を抑えることができるという効果を奏する。
【００４５】
また、この発明によれば、前記フレーム部材と、画像表示パネルと、前記フレーム部材の外周に前記ねじ部材を利用してねじ止めされる補強部材とを備えているので、画像表示装置は、用いるフレーム部材が、ねじ部材によってねじ止めに十分な面積を確保でき、かつ、ねじ止め位置が異なっても部品点数の増加を抑えることができるという効果を奏する。
【図面の簡単な説明】
【図１】この発明の実施の形態１に係るねじ部材を示す左半断面正面図である。
【図２】図１に示したねじ部材の平面図である。
【図３】図１に示したねじ部材の右側面図である。
【図４】この発明の実施の形態２に係るフレーム部材を示すもので、実施の形態１に係るねじ部材を取り付けるフレーム部材の斜視図である。
【図５】図４に示すフレーム部材のＡ部を拡大して示す正面図である。
【図６】この発明の実施の形態３に係る画像表示装置として、液晶表示パネルを用いた液晶表示装置を示す分解斜視図である。
【図７】図６に示す液晶表示装置におけるフレーム部材の凹部中央における断面図である。
【図８】変形例１に係るねじ部材を示す斜視図である。
【図９】変形例１に係るフレーム部材を示す斜視図である。
【図１０】変形例１に係るフレーム部材を示す正面図である。
【図１１】変形例２に係るねじ部材を示す斜視図である。
【図１２】変形例２に係るフレーム部材を示す正面図である。
【符号の説明】
１  液晶表示装置
２  回路基板
３  フレーム部材
３ａ  長辺
３ｂ  短辺
３ｃ  凹部
３ｃ１    第１凹部
３ｃ２    第２凹部
３ｅ  窪み部
３ｅ１，３ｅ２    窪み部
４  ねじ部材
４ａ  基板部
４ｂ  突縁
４ｃ  脚部
４ｄ  係止片
４ｅ  ねじ部
４ｆ  めねじ
５  バックライトユニット
６  液晶セルアセンブリ
７  ベゼル
７ａ  ねじ孔
１１  ねじ部材
１１ａ  基板部
１１ｃ  脚部
１１ｅ  ねじ部
１１ｆ  めねじ
１３  ねじ部材
１３ａ  基板部
１３ｃ  脚部
１３ｅ  ねじ部
１３ｆ  めねじ
【図１】
2004233849.tif 000003
【図２】
2004233849.tif 000004
【図３】
2004233849.tif 000005
【図４】
2004233849.tif 000006
【図５】
2004233849.tif 000007
【図６】
2004233849.tif 000008
【図７】
2004233849.tif 000009
【図８】
2004233849.tif 000010
【図９】
2004233849.tif 000011
【図１０】
2004233849.tif 000012
【図１１】
2004233849.tif 000013
【図１２】
2004233849.tif 000014